【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
映像の記録の開始と終了をユーザが指示する第一の撮影モードと、
映像の記録の開始をユーザが指示した後、所定時間経過後に自動的に撮影が終了する第二の撮影モードとを切り替え可能な撮影モード切替手段と、
前記第一の撮影モードと前記第二の撮影モードで記録した映像を再生可能な第一の映像再生モードと、
前記第二の撮影モードで記録した映像のみを再生可能な第二の映像再生モードとを切り替えるための映像再生モード切替手段とを有し、
前記第一の撮影モードおよび前記第二の撮影モードで記録された第一の音声と、
前記第一の音声とは別に記録された第二の音声とを再生することが可能であって、
前記映像再生モード切替手段によって、
前記第一の映像再生モードが選択された場合は前記第一の音声を再生し、
前記第二の映像再生モードが選択された場合は前記第二の音声を再生する、
制御手段を有することを特徴とする撮像再生装置。
【請求項２】
前記第一の撮影モードで記録した映像と前記第二の撮影モードで記録した映像とを混在させて一覧表示する第一の一覧表示モードと、
前記第二の撮影モードで記録した映像のみを一覧表示する第二の一覧表示モードと、
前記第一の一覧表示モードと前記第二の一覧表示モードを切り替え可能な一覧表示モード切替手段とを更に有することを特徴とする請求項１に記載の撮像再生装置。
【請求項３】
前記第一の一覧表示モードから再生開始の指示を行った場合は前記第一の映像再生モードで再生を行い、
前記第二の一覧表示モードから再生開始の指示を行った場合は前記第二の映像再生モードで再生を行うことを特徴とする請求項２に記載の撮像再生装置。
【請求項４】
前記撮影モード切替手段に撮影モードの切り替えを指示するための操作部と、前記一覧表示モード切替手段に一覧表示モードの切り替えを指示するための操作部を兼用し、
撮影時は前記操作部からの指示により撮影モードの切り替えを行い、
一覧表示時は前記操作部からの指示により一覧表示モードの切り替えを行うことを特徴とする請求項２乃至３に記載の撮像再生装置。
【請求項５】
前記制御手段は、前記第二の撮影モードで記録した映像の再生タイミングと前記第二の音声の再生タイミングを独立して制御することが可能であって、
前記第二の撮影モードで記録した映像の再生が終了する前に前記第二の音声の再生が終了した場合は、次に指定した音声を再生することを特徴とする請求項１乃至４に記載の撮像再生装置。
【請求項６】
複数の音声より任意の音声を１つ以上選択することができる音声選択手段を更に有し、前記制御手段は、前記第二の音声として、前記音声選択手段により選択された音声を連続して再生することを特徴とする請求項１乃至５に記載の撮像再生装置。
【請求項７】
前記制御手段は、前記第二の音声の再生音量を制御する再生音量制御手段を持ち、
前記第二の撮影モードで記録した映像の再生終了のタイミングにあわせて、前記第二の音声の再生音量を徐々に減少させることを特徴とする請求項１乃至６に記載の撮像再生装置。
【請求項８】
前記第二の音声は無音データであることを特徴とする請求項１に記載の撮像再生装置。
【手続補正２】
【補正対象書類名】明細書
【補正対象項目名】０００９
【補正方法】変更
【補正の内容】
【０００９】
本出願に係る第１の発明は、映像の記録の開始と終了をユーザが指示する第一の撮影モードと、映像の記録の開始をユーザが指示した後、所定時間経過後に自動的に撮影が終了する第二の撮影モードとを切り替え可能な撮影モード切替手段と、前記第一の撮影モードと前記第二の撮影モードで記録した映像を再生可能な第一の映像再生モードと、前記第二の撮影モードで記録した映像のみを再生可能な第二の映像再生モードとを切り替えるための映像再生モード切替手段とを有し、前記第一の撮影モードおよび前記第二の撮影モードで記録された第一の音声と、前記第一の音声とは別に記録された第二の音声とを再生することが可能であって、前記映像再生モード切替手段によって、前記第一の映像再生モードが選択された場合は前記第一の音声を再生し、前記第二の映像再生モードが選択された場合は前記第二の音声を再生することを特徴とする。
【手続補正３】
【補正対象書類名】明細書
【補正対象項目名】００１２
【補正方法】変更
【補正の内容】
【００１２】
本出願に係る第４の発明は更に、前記撮影モード切替手段に撮影モードの切り替えを指示するための操作部と、前記一覧表示モード切替手段に一覧表示モードの切り替えを指示するための操作部を兼用し、撮影時は前記操作部からの指示により撮影モードの切り替えを行い、一覧表示時は前記操作部からの指示により一覧表示モードの切り替えを行うことを特徴とする。
【手続補正４】
【補正対象書類名】明細書
【補正対象項目名】００１３
【補正方法】変更
【補正の内容】
【００１３】
本出願に係る第５の発明は更に、前記制御手段は、前記第二の撮影モードで記録した映像の再生タイミングと前記第二の音声の再生タイミングを独立して制御する機能を有し、前記第二の撮影モードで記録した映像の再生が終了する前に前記第二の音声の再生が終了した場合は、次に指定した音声を再生することを特徴とする。
【手続補正５】
【補正対象書類名】明細書
【補正対象項目名】００１４
【補正方法】変更
【補正の内容】
【００１４】
本出願に係る第６の発明は更に、複数の音声より任意の音声を１つ以上選択することができる音声選択手段を更に有し、前記制御手段は、前記第二の音声として、前記音声選択手段により選択された音声を連続して再生することを特徴とする。
【手続補正６】
【補正対象書類名】明細書
【補正対象項目名】００１５
【補正方法】変更
【補正の内容】
【００１５】
本出願に係る第７の発明は更に、前記制御手段は、前記第二の音声の再生音量を制御する再生音量制御手段を持ち、前記第二の撮影モードで記録した映像の再生終了のタイミングにあわせて、前記第二の音声の再生音量を徐々に減少させることを特徴とする。
【手続補正７】
【補正対象書類名】明細書
【補正対象項目名】００１６
【補正方法】変更
【補正の内容】
【００１６】
本出願に係る第８の発明は更に、前記第二の音声は無音データであることを特徴とする。
【手続補正８】
【補正対象書類名】明細書
【補正対象項目名】００２０
【補正方法】変更
【補正の内容】
【００２０】
音声入力部１０６は録音のためのマイク等であり、音声入力制御部１０７に接続されている。音声入力部１０６は周囲の音を電気信号に変換し、音声入力制御部１０７に送信する。音声入力制御部１０７は、音声入力部１０６から受信した音声信号に対して、ノイズ低減、ゲイン調整、バランス調整等の音声信号処理を行った上で、処理後の音声信号を映像ストリーム生成部１０８に送信する。
【手続補正９】
【補正対象書類名】明細書
【補正対象項目名】００４１
【補正方法】変更
【補正の内容】
【００４１】
映像再生部１１８は、映像・音声分離部１１７より受信した映像信号を復号し、表示制御部１０４が表示可能な映像信号に変換を行った後、表示制御部１０４に送信する。表示制御部１０４は、映像再生部１１８から受信した映像信号を表示部１０５に表示する。
【手続補正１０】
【補正対象書類名】明細書
【補正対象項目名】００４３
【補正方法】変更
【補正の内容】
【００４３】
再生制御部１１５からの指示が、撮影時に録音した音声の再生だった場合は、音声データ再生制御部１１９は、音声切替部１２１に対し、映像・音声分離部１１７で分離された音声データを選択するように指示を行う。再生制御部１１５からの指示が、ユーザが指定した音声データの再生だった場合は、音声データ再生制御部１１９は、音声データ記録部１２０に記録されている指定の音声データを読み出す。そして、音声切替部１２１に送信するとともに、音声切替部１２１に音声データ再生制御部１１９から送信した音声データを選択するように指示を行う。映像の再生が終了する前に指定された音声データの再生が終了した場合は、音声データ再生制御部１１９は次に指定された音声データを先頭から読み出し、音声切り替え部１２１に送信する。また、音声データ再生制御部１１９は映像の再生終了の一定時間前より音声データの再生音量を徐々に減少させていき、映像の再生終了時に音量がゼロになるように再生音量制御を行う。
【手続補正１１】
【補正対象書類名】明細書
【補正対象項目名】００６４
【補正方法】変更
【補正の内容】
【００６４】
以上説明したように、本発明を上記実施例１のごとく適用することで、ユーザが撮影開始の指示を行ってから所定時間後に自動的に撮影を停止する第二の撮影モードによって撮影された映像のみを抽出して再生することができる。更に撮影時に録音した第一の音声データとは別に用意された第二の音声データ（元々撮像再生装置に記録されてあった音声や楽曲、もしくは撮像再生装置外部に記録されてあった音声や楽曲）を差し替えて再生させることが可能になる。なお、再生される第二の音声データは無音データでも良い。これにより、一定時間毎に映像がテンポ良く切り替わって再生されることにより、意外性のある再生映像が得られるとともに、音声が不連続にならずに再生されるため、視聴者に与える違和感を低減することができる。